(57)【要約】　　　（修正有）【課題】複数の什器の施解錠を効率良く実施することができる遠隔施解錠システムを提供すること。【解決手段】電子錠２と、開閉扉の施錠及び解錠の制御を行う制御ユニット３とを備える複数のキャビネット１と、各キャビネット１別に施解錠が許諾されたリモコンキー６ａ、６ｂを特定可能な許諾者ＩＤとが登録された施解錠テーブルと、アンテナ５とを備え、リモコンキー６ａ、６ｂから許諾者ＩＤを含む施解錠指示情報を受信した場合に、許諾者ＩＤと施解錠テーブルに登録されている許諾者ＩＤとを比較し、その比較結果が一致した場合に、該当するキャビネット１の制御ユニット３に対して電子錠２の施錠または解錠の制御を指示するとともに、リモコンキー６ａ、６ｂから全施錠指示情報を受信した場合に、全てのキャビネット１の制御ユニット３に対して電子錠２の施錠の制御を指示する旨の制御情報を送信するロックコントローラ４と、から構成する。【選択図】　図１
2004107884.tif 000002
【特許請求の範囲】
【請求項１】
少なくとも内部に収容部を有するとともに、該収容部へのアプローチを規制する規制部材と、該規制部材の開放を抑止及び該抑止を解除する施解錠手段と、所定の制御情報の受信に基づいて前記施解錠手段による前記規制部材の施錠及び解錠の制御を行う子施解錠制御装置と、を備える複数の什器と、施錠及び解錠の制御対象となる什器と、該什器別に施解錠が許諾されたリモート端末を特定可能な端末識別情報と、が登録された什器登録手段と、前記リモート端末から発信された情報を非接触にて受信する非接触受信手段と、前記リモート端末から該リモート端末の前記端末識別情報を含む施解錠指示情報を受信した場合に、該施解錠指示情報に含まれる端末識別情報と前記什器登録手段に登録されている端末識別情報とを比較する許諾端末比較手段と、該許諾端末比較手段の比較結果が一致した場合に、該当する什器の子施解錠制御装置に対して前記施解錠手段の施錠または解錠の制御を指示する旨の制御情報を送信するとともに、前記リモート端末から全施錠指示情報を受信した場合に、前記什器登録手段に登録されている全ての什器の子施解錠制御装置に対して前記施解錠手段の施錠の制御を指示する旨の制御情報を送信する制御情報送信手段と、を備える親施解錠制御装置と、
から構成されることを特徴とする什器の施解錠システム。
【請求項２】
請求項１に記載の什器の施解錠システムに用いるリモート端末であって、
前記什器の施錠及び解錠を行うための操作手段と、該操作手段の操作要領に応じて、前記施解錠指示情報または前記全施錠指示情報のいずれか一方の指示情報を発信する指示情報発信手段と、を備えることを特徴とするリモート端末。
【請求項３】
前記操作手段は、解錠操作を行うための解錠操作手段と、施錠操作を行うための施錠操作手段と、を別個に備え、前記指示情報発信手段は、前記解錠操作手段が操作されたとき、または前記施錠操作手段の操作時間が第１の規定時間に到達したときに前記施解錠指示情報を発信し、前記施錠操作手段の操作時間が前記第１の規定時間よりも長い第２の規定時間に到達したときに前記全施錠指示情報を発信する請求項２に記載のリモート端末。
【請求項４】
前記操作手段は、施解錠が許諾された什器の施錠を行うための施錠操作手段と、施解錠が許諾された什器の解錠を行うための解錠操作手段と、前記什器登録手段に登録されている全ての什器の施錠を行うための全施錠操作手段と、を別個に備える請求項２に記載のリモート端末。
【請求項５】
前記全施錠操作手段は、前記施錠操作手段及び前記解錠操作手段に比較して操作しづらい構造に形成されている請求項４に記載のリモート端末。
【請求項６】
前記全施錠操作手段は、リモート端末の表面よりも窪んだ位置に形成されている請求項５に記載のリモート端末。
【発明の詳細な説明】
【０００１】
【発明の属する技術の分野】
本発明は、複数設置されるキャビネット等の什器をリモート端末を用いて非接触にて施解錠するための施解錠システム及び什器の施解錠を非接触にて行うためのリモート端末に関する。
【０００２】
【従来の技術】
従来、扉の施解錠を行うことができるキャビネット等の什器が多数実用化されている。これら什器の施解錠方法としては、什器に出向き、鍵を鍵穴に差し込んで施解錠する方法が一般的であるが、鍵による施解錠に際しては、什器に設けられた鍵穴に鍵を差し込んで施解錠操作を実施する必要があり、例えば、什器に荷物や書類を収納、搬出する場合には、荷物を持った状態で施解錠操作を行う必要があるため、これら施解錠操作が困難となってしまうという問題があった。
【０００３】
このため、近年においては、これらの問題を解決する１手法として、電磁波や赤外線等を用いて非接触通信可能なリモート端末により遠隔にて什器の施解錠を実施することのできる施解錠システムが検討されている。
【０００４】
【発明が解決しようとする課題】
本発明は、リモート端末を用いることにより遠隔にて什器の施解錠を実施することのできる施解錠システム及び什器の施解錠を非接触にて行うリモート端末の利便性を高めることができる什器の施解錠システム及び什器の施解錠用リモート端末を提供することを目的としている。
【０００５】
【課題を解決するための手段】
上記課題を解決するために、本発明の什器の施解錠システムは、少なくとも内部に収容部を有するとともに、該収容部へのアプローチを規制する規制部材と、該規制部材の開放を抑止及び該抑止を解除する施解錠手段と、所定の制御情報の受信に基づいて前記施解錠手段による前記規制部材の施錠及び解錠の制御を行う子施解錠制御装置と、を備える複数の什器と、
施錠及び解錠の制御対象となる什器と、該什器別に施解錠が許諾されたリモート端末を特定可能な端末識別情報と、が登録された什器登録手段と、前記リモート端末から発信された情報を非接触にて受信する非接触受信手段と、前記リモート端末から該リモート端末の前記端末識別情報を含む施解錠指示情報を受信した場合に、該施解錠指示情報に含まれる端末識別情報と前記什器登録手段に登録されている端末識別情報とを比較する許諾端末比較手段と、該許諾端末比較手段の比較結果が一致した場合に、該当する什器の子施解錠制御装置に対して前記施解錠手段の施錠または解錠の制御を指示する旨の制御情報を送信するとともに、前記リモート端末から全施錠指示情報を受信した場合に、前記什器登録手段に登録されている全ての什器の子施解錠制御装置に対して前記施解錠手段の施錠の制御を指示する旨の制御情報を送信する制御情報送信手段と、を備える親施解錠制御装置と、
から構成されることを特徴としている。
この特徴によれば、リモート端末から施解錠が許諾された什器の施錠及び解錠を非接触にて行うことができるため、什器の施解錠を容易に行うことができる。更に、リモート端末から、当該リモート端末により施解錠が許諾された什器以外の什器を含む登録されている全ての什器の施錠を行うことができるため、一層利便性を高めることができる。
【０００６】
本発明のリモート端末は、請求項１に記載の什器の施解錠システムに用いるリモート端末であって、
前記什器の施錠及び解錠を行うための操作手段と、該操作手段の操作要領に応じて、前記施解錠指示情報または前記全施錠指示情報のいずれか一方の指示情報を発信する指示情報発信手段と、を備えることを特徴としている。
この特徴によれば、施錠操作及び解錠操作を行うための操作要領にて操作手段の操作を行うのみで施解錠が許諾された什器の施錠及び解錠を非接触にて行うことができるため、什器の施解錠を容易に行うことができる。更に、施錠操作及び解錠操作の操作要領とは異なる全施錠を行うための操作要領にて操作手段の操作を行うことで、施解錠が許諾された什器以外の什器を含む登録された全ての什器の施錠を行うことが可能となり、一層利便性を高めることができる。
【０００７】
本発明のリモート端末の前記操作手段は、解錠操作を行うための解錠操作手段と、施錠操作を行うための施錠操作手段と、を別個に備え、前記指示情報発信手段は、前記解錠操作手段が操作されたとき、または前記施錠操作手段の操作時間が第１の規定時間に到達したときに前記施解錠指示情報を発信し、前記施錠操作手段の操作時間が前記第１の規定時間よりも長い第２の規定時間に到達したときに前記全施錠指示情報を発信することが好ましい。
このようにすれば、通常の施錠操作手段と別個に、登録されている全ての什器の施錠を行うための施錠操作手段を設ける必要がないうえに、容易な操作要領にて登録されている全ての什器の施錠を行うことができる。
【０００８】
本発明のリモート端末の前記操作手段は、施解錠が許諾された什器の施錠を行うための施錠操作手段と、施解錠が許諾された什器の解錠を行うための解錠操作手段と、前記什器登録手段に登録されている全ての什器の施錠を行うための全施錠操作手段と、を別個に備えることが好ましい。
このようにすれば、各々の操作手段が別個に設けられているため、誤操作を防止することができる。
【０００９】
本発明のリモート端末の前記全施錠操作手段は、前記施錠操作手段及び前記解錠操作手段に比較して操作しづらい構造に形成されていることが好ましい。
このようにすれば、通常操作する機会の少ない、全施錠操作手段の操作をしづらくすることで、誤操作を効果的に防止できる。
【００１０】
本発明のリモート端末の前記全施錠操作手段は、リモート端末の表面よりも窪んだ位置に形成されていることが好ましい。
このようにすれば、簡単な構造にて全施錠操作手段の誤操作を防止できる。
【００１１】
【発明の実施の形態】
図１は本実施例における什器の施解錠システムの構成を示す図であり、この施解錠システムは、オフィス等に設置される什器に設けられた電子錠の施錠及び解錠を実施するためのシステムであり、図１に示すように、後述する収容部Ｓ１、Ｓ２（図３参照）へのアプローチを規制する開閉扉１１ａ、１１ｂ（図２参照）の開放を抑止及びその抑止を解除する、すなわち開閉扉１１ａ、１１ｂの施錠及び解錠を行う電子錠２、電子錠２の施錠及び解錠の制御を行う子施解錠制御装置としての制御ユニット３、を備える複数のキャビネット１（什器）と、これらキャビネット１のうちの１つに収容され、外部からの指示情報に基づいて複数のキャビネット１の電子錠２の施錠及び解錠の制御を行う親施解錠制御装置としてのロックコントローラ４と、非接触にて許諾されたキャビネット１の施錠操作及び解錠操作等を行うことが可能なリモート端末としてのリモコンキー６ａ、６ｂと、許諾されたキャビネット１の施錠操作及び解錠操作等を行うことが可能な管理サーバ７と、から構成されている。
【００１２】
キャビネット１に備えられた制御ユニット３同士は、通信ケーブル９によって各々接続されているとともに、そのうち１つの制御ユニット３は通信ケーブル９を介してロックコントローラ４と接続されており、これら各制御ユニット３とロックコントローラ４とは、双方向にデータの送受が可能とされている。また、ロックコントローラ４は、非接触受信手段としてのアンテナ５と接続されており、リモコンキー６ａ、６ｂと双方向にデータの送受が可能とされている。また、ロックコントローラ４と管理サーバ７とは、通信ケーブル１０を介して接続されており、双方向にデータの送受が可能とされている。更に管理サーバ７は、ＬＡＮ（ローカルエリアネットワーク）に接続されており、ＬＡＮに接続された他のＰＣ８と双方向にデータの送受が可能とされている。
【００１３】
まず、本実施例の什器としてのキャビネット１について説明する。このキャビネット１は、図２並びに図３に示すように、内部に２つの収容部Ｓ１、Ｓ２が形成されており、これら収容部Ｓ１、Ｓ２の開放面が各々１対の開閉扉１１ａ、１１ｂにより閉塞可能とされている。
【００１４】
開閉扉１１ａ、１１ｂは、一方の側辺が収容部Ｓ１、Ｓ２の開放面側部に枢支されており、これら開閉扉１１ａ、１１ｂによる収容部Ｓ１、Ｓ２の開放及び閉塞が自在とされている。すなわち開閉扉１１ａ、１１ｂは、収容部Ｓ１、Ｓ２へのアプローチを規制する本発明の規制部材として機能する。
【００１５】
開閉扉１１ａの表面には、開放ハンドル１２ａが設けられているとともに、開閉扉１１ｂの表面には、開放ハンドル１２ａ、鍵穴１３、什器ランプ１４、が各々設けられている。開放ハンドル１２ａ、１２ｂは、開閉扉１１ａ、１１ｂが閉塞状態のときに、開閉扉１１ａ、１１ｂの裏面上部及び下部に設けられた係止ピン１８ａ、１８ｂを作動させ、収容部Ｓ１、Ｓ２の開放面の上部及び下部に設けられた係止孔１９と係止ピン１８ａ、１８ｂとの係合を解除する際に操作されるハンドルである。また、鍵穴１３は、後に詳述する電子錠２の操作を手動キー（図示略）を用いて実施する際の鍵穴である。また、什器ランプ１４は、電子錠２の施解錠状態を示すランプであり、主に解錠状態のときに点灯する。
【００１６】
また、開閉扉１１ａ、１１ｂの内部には、開放ハンドル１２ａ、１２ｂの操作に応じて係止ピン１８ａ、１８ｂを作動させるためのリンク機構（図示略）が内蔵されているとともに、特に開閉扉１１ｂの内部には、施解錠モータ２５（図５参照）の駆動により係止ピン１８ｂの作動を抑止及びその抑止を解除する、すなわち開閉扉１１ｂの施錠及び解錠を行う電子錠２が内蔵されている。
【００１７】
また、開閉扉１１ａの枢支されている側とは反対側の側辺には、外方に突出する突出片１１ａ’が形成されており、開閉扉１１ａは、突出片１１ａ’が、対となる開閉扉１１ｂに係止された状態で収容部Ｓ１、Ｓ２の開放面を閉塞する構造とされ、開閉扉１１ｂを開放しなければ開閉扉１１ａも開放できない構造とされている。
【００１８】
このため、開閉扉１１ａ、１１ｂにより収容部Ｓ１、Ｓ２の開放面が閉塞されている状態で、電子錠２が施錠された場合には、開閉扉１１ａ、１１ｂ双方の開放が抑止されるようになっている。すなわち、電子錠２は、規制部材である開閉扉１１ａ、１１ｂの開放の抑止及びその抑止の解除を行う施解錠手段として機能する。
【００１９】
また、図３に示すように、下側の収容部Ｓ２の下面を被覆するカバー板１６と、キャビネット１の底面板１７との間に機器収容空間Ｓ３が形成されており、この機器収容空間Ｓ３の内部に制御ユニット３やロックコントローラ４が収容される。
【００２０】
また、この機器収容空間Ｓ３の両側面には、キャビネット１の外側に貫通する連通孔１５が形成されている。連通孔１５は、図４に示すように、複数のキャビネット１を並設した際に、隣接する連通孔１５同士が連通する位置に形成されており、これにより隣接するキャビネット１同士の機器収容空間Ｓ３が連通孔１５を介して繋がるため、機器収容空間Ｓ３に収容された制御ユニット３同士、または制御ユニット３とロックコントローラ４とを接続するための通信ケーブル９を連通孔１５を介して配線できるうえに、ロックコントローラ４と管理サーバ７とを接続するための通信ケーブル１０を連通孔１５を介して引き出せるようになっている。
【００２１】
また、図３に示すように、ロックコントローラ４が収容されるキャビネット１の上部には、ロックコントローラ４とリモコンキー６ａ、６ｂとのデータの送受を非接触にて行うためのアンテナ５が設置されている。このアンテナ５からの配線はキャビネット１の背面板（図示略）内に設けられた配線ダクト（図示略）を介して機器収容空間Ｓ３に延設され、ロックコントローラ４と接続されている。
【００２２】
このように本実施例のキャビネット１には、収容部Ｓ１、Ｓ２が内部に設けられているとともに、その開放面が開閉扉１１ａ、１１ｂにより閉塞可能とされ、開閉扉１１ａ、１１ｂを閉塞することにより収容部Ｓ１、Ｓ２へのアプローチが規制されるようになっている。更に、開閉扉１１ａ、１１ｂは、開放の抑止及びその抑止の解除が電子錠２の施錠及び解錠により行われるようになっている。
【００２３】
尚、本実施例では、什器の一例として収容部Ｓ１、Ｓ２が設けられ、その収容部Ｓ１、Ｓ２の開放面を閉塞可能な開閉扉１１ａ、１１ｂにより収容部Ｓ１、Ｓ２へのアプローチが規制されるキャビネット１を適用しているが、本発明の什器としては、例えば、引出を手前に引くことでアプローチが可能となる収容部が設けられた什器や、前述のように開閉扉の開放によりアプローチが可能な収容部と引出を手前に引くことでアプローチが可能な収容部との双方が設けられた什器にも適用可能である。
【００２４】
また、本実施例のキャビネット１では、制御ユニット３やロックコントローラ４がキャビネット１の内部に設けられた機器収容空間Ｓ３に収容されているため、これら制御ユニット３やロックコントローラ４等の機器類の設置スペースを必要としないばかりか、内部に収容されることで外観も向上できる。
【００２５】
また、本実施例のキャビネット１では、制御ユニット３やロックコントローラ４がキャビネット１の内部に設けられた機器収容空間Ｓ３に収容されているため、これら制御ユニット３やロックコントローラ４等の機器類の設置スペースを必要としないばかりか、内部に収容されることで外観も向上できる。
【００２６】
また、機器収容空間Ｓ３が、キャビネットの１における収容部Ｓ２の下方空間に設けられているため、キャビネットの１における収容スペースを無駄にすることなく、制御ユニット３やロックコントローラ４を収容できる。
【００２７】
特に、収容部Ｓ２の下面を被覆するカバー板１６とキャビネット１の底面板１７との間の空間、すなわち通常使用する用途の低い空間に制御ユニット３やロックコントローラ４を収容できるため、キャビネット１内の空間を有効に利用できる。
【００２８】
また、制御ユニット３やロックコントローラ４が収容部Ｓ１、Ｓ２よりも下方に収容されることで重心が下方側となるためキャビネット１の安定性も向上できる。
【００２９】
また、機器収容空間Ｓ３の両側面には隣接するキャビネット１の機器収容空間Ｓ３と連通する位置に連通孔１５が形成されるため、複数のキャビネット１を並設した際に各々のキャビネット１に収容された制御ユニット３またはロックコントローラ４から延設されるケーブル類を連通孔１５を介して隣接するキャビネット１の機器収容空間Ｓ３内へ配線することができ、キャビネット１の外部に配線が延設されることがないため、外観を向上できる。
【００３０】
また、本実施例では、ロックコントローラ４とリモコンキー６ａ、６ｂとの間で非接触にてデータの送受を行うためのアンテナ５が、ロックコントローラ４が収容されるキャビネット１の上部に設置されており、アンテナ５の設置位置が、リモコンキー６ａ、６ｂとのデータの送受を非接触にて実施するのに最も適しているばかりか、キャビネット１の収容スペースが無駄になることもない。
【００３１】
次いで、本実施例の施解錠手段としての電子錠２並びに子施解錠制御装置としての制御ユニット３の構成を図５に基づいて説明する。
【００３２】
電子錠２は、施解錠モータ２５、閉鎖検出センサ２６、施錠検出センサ２７、解錠検出センサ２８、前述した什器ランプ１４、から構成され、これら各種電機部品は制御ユニット３に接続されている。施解錠モータ２５は、係止ピン１８ｂの作動を抑止及びその抑止の解除するためのモータであり、具体的には、係止ピン１８ｂの作動が可能な状態及び不可能な状態に移動可能な作動規制部材（図示略）を施解錠モータ２５の回転に連動させることで係止ピン１８ｂの作動を抑止及びその抑止を解除する。尚、本実施例では、作動規制部材を施解錠モータ２５の回転に連動させることで係止ピン１８ｂの作動を抑止及びその抑止を解除する機構とされているが、例えば、施解錠モータ２５に替えて、電気信号の入力により出没可能な電磁ソレノイドを適用し、この電磁ソレノイドの出没により係止ピン１８ｂの作動を抑止及びその抑止を解除する機構としても良い。
【００３３】
また、閉鎖検出センサ２６は、開閉扉１１ａ、１１ｂが収容部Ｓ１、Ｓ２の開放面を閉塞している状態を検出するセンサであり、施錠検出センサ２７は、係止ピン１８ｂの作動が不可能な状態、すなわち開閉扉１１ａ、１１ｂが施錠されている状態を検出するセンサであり、解錠検出センサ２８は、係止ピン１８ｂの作動が可能な状態、すなわち開閉扉１１ａ、１１ｂが解錠されている状態を検出するセンサである。
【００３４】
制御ユニット３は、電子錠２の施錠及び解錠の制御を行う制御部２０、コネクタ２２に接続された通信ケーブル９を介して、直接または他の制御ユニット３を中継して接続されたロックコントローラ４とデータの送受を行うための通信部２１、対応する電子錠２の施解錠モータ２５を駆動するためのモータ駆動回路２３、対応する電子錠２の各種センサからの検出信号が入力されるセンサ回路、から主に構成される。
【００３５】
制御ユニット３は、電子錠２の各種センサからの検出信号並びにロックコントローラ４から受信した制御コマンドに基づいて施解錠モータ２５の駆動制御、すなわち電子錠２の施錠及び解錠制御や什器ランプ１４の点灯制御を行う。
【００３６】
具体的には、ロックコントローラ４から電子錠２の施錠を指示する旨の施錠コマンドを受信した際に、閉鎖検出センサ２６及び解錠検出センサ２８の検出を判定し、これら各センサが検出されているときには施錠検出センサ２７が検出されるまで施解錠モータ２５を駆動し、施錠検出センサ２７の検出に基づき施解錠モータ２５の駆動を停止し、什器ランプ１４を消灯する。更にこれらの動作の終了後、施錠の完了を示す完了コマンドをロックコントローラ４に対して返信する。尚、施錠コマンドを受信した際に、閉鎖検出センサ２６及び解錠検出センサ２８が検出されていない場合、すなわち既に施錠されている場合や開閉扉１１ａ、１１ｂが開放している場合、規定時間以上施解錠モータ２５が駆動しても施錠検出センサ２７が検出されない場合等、施錠制御が正常に完了しないときには、その旨を示すエラーコマンドをロックコントローラ４に対して返信する。
【００３７】
また、ロックコントローラ４から電子錠２の解錠を指示する旨の解錠コマンドを受信した際に、施錠検出センサ２７の検出を判定し、施錠検出センサ２７が検出されているときには解錠検出センサ２８が検出されるまで施解錠モータ２５を駆動し、解錠検出センサ２８の検出に基づき施解錠モータ２５の駆動を停止し、什器ランプ１４を点灯する。更にこれらの動作の終了後、解錠の完了を示す完了コマンドをロックコントローラ４に対して返信する。尚、解錠コマンドを受信した際に、施錠検出センサ２７が検出されていない場合、すなわち既に解錠されている場合、規定時間以上施解錠モータ２５が駆動しても解錠検出センサ２８が検出されない場合等、解錠制御が正常に完了しないときには、その旨を示すエラーコマンドをロックコントローラ４に対して返信する。
【００３８】
次いで、本実施例の親施解錠制御装置としてのロックコントローラ４について説明する。
【００３９】
ロックコントローラ４は、コネクタ３２に接続された通信ケーブル９を介して、直接または制御ユニット３を中継して接続された制御ユニット３とデータの送受を行うための通信部３１（制御情報送信手段）、コネクタ３４に接続された通信ケーブル１０を介して接続された管理サーバ７とデータの送受を行うための通信部３３、非接触受信手段としてのアンテナ５を介してリモコンキー６ａ、６ｂと非接触にてデータの送受を行うための無線送受信回路３６、必要なデータの読み出し及び書き込みが可能とされた記憶部３５、これら各部の制御を行うための制御部３０（許諾端末比較手段）、から構成される。
【００４０】
また、記憶部３５には、当該ロックコントローラ４により施錠及び解錠の制御がなされるキャビネット１を識別可能な什器ＩＤと、什器ＩＤ対応して該当するキャビネット１の施錠及び解錠が許諾された許諾者並びにその許諾者が所持するリモコンキー６ａ、６ｂを別個に識別可能な端末識別情報としての許諾者ＩＤが登録された什器登録手段としての施解錠テーブルが記憶されている。
【００４１】
ロックコントローラ４は、リモコンキー６ａ、６ｂや管理サーバ７より受信した指示情報に基づいて制御ユニット３に対して制御コマンドを送信し、指示情報により指示されたキャビネット１の施錠及び解錠制御を行うとともに、制御ユニット３からの返信に基づいて施錠及び解錠の結果を示す完了情報やエラー情報をリモコンキー６ａ、６ｂや管理サーバ７に対して返信する制御等を行う。
【００４２】
具体的には、リモコンキー６ａ、６ｂまたは管理サーバ７から許諾されたキャビネットの施錠を指示する旨の施錠指示情報を受信した場合に、受信した施錠指示情報に含まれる許諾者ＩＤと施解錠テーブルに登録された許諾者ＩＤと比較し、一致する許諾者ＩＤに対応して登録されている什器ＩＤの制御ユニット３に対して施錠コマンドを送信する。
【００４３】
これに基づき制御ユニット３より完了コマンドを受信した場合、すなわち指示されたキャビネット１の施錠が正常に完了した旨のコマンドを受信した場合には、正常に施錠が完了した旨を示す完了情報をリモコンキー６ａ、６ｂまたは管理サーバ７に返信する。尚、施錠コマンドを送信した制御ユニット３よりエラーコマンドを受信した場合や施錠コマンドを送信した後、所定時間経過しても応答がない場合には、正常に施錠が完了しなかった旨を示すエラー情報をリモコンキー６ａ、６ｂまたは管理サーバ７に返信する。また、これらの制御に伴って、施錠指示情報に含まれる許諾者ＩＤや施錠が指示された什器ＩＤ、その結果（正常に施錠されたか否か）等を含む履歴情報を管理サーバ７に対して送信する。
【００４４】
また、リモコンキー６ａ、６ｂまたは管理サーバ７から許諾されたキャビネットの解錠を指示する旨の解錠指示情報を受信した場合に、受信した解錠指示情報に含まれる許諾者ＩＤと施解錠テーブルに登録された許諾者ＩＤと比較し、一致する許諾者ＩＤに対応して登録されている什器ＩＤの制御ユニット３に対して解錠コマンドを送信する。
【００４５】
これに基づき制御ユニット３より完了コマンドを受信した場合、すなわち指示されたキャビネット１の解錠が正常に完了した旨のコマンドを受信した場合には、正常に解錠が完了した旨を示す完了情報をリモコンキー６ａ、６ｂまたは管理サーバ７に返信する。尚、解錠コマンドを送信した制御ユニット３よりエラーコマンドを受信した場合や解錠コマンドを送信した後、所定時間経過しても応答がない場合には、正常に解錠が完了しなかった旨を示すエラー情報をリモコンキー６ａ、６ｂまたは管理サーバ７に返信する。これらの制御に伴って、解錠指示情報に含まれる許諾者ＩＤや解錠が指示された什器ＩＤ、その結果（正常に解錠されたか否か）等を含む履歴情報を管理サーバ７に対して送信する。
【００４６】
また、リモコンキー６ａ、６ｂまたは管理サーバ７からロックコントローラ４により施錠及び解錠制御される全てのキャビネット１の施錠を指示する旨の全施錠指示情報を受信した場合に、施解錠テーブルに登録されている全ての什器ＩＤの制御ユニット３に対して施錠コマンドを送信する。
【００４７】
これに基づき施錠コマンドを送信した全ての制御ユニット３より完了コマンドを受信した場合、すなわち施錠コマンドを送信した全ての制御ユニット３から、キャビネット１の施錠が正常に完了した旨のコマンドを受信した場合には、正常に全施錠が完了した旨を示す完了情報をリモコンキー６ａ、６ｂまたは管理サーバ７に返信する。尚、制御ユニット３よりエラーコマンドを受信した場合や解錠コマンドを送信した後、所定時間経過しても応答がない制御ユニット３がある場合には、正常に全施錠が完了しなかった旨を示すエラー情報をリモコンキー６ａ、６ｂまたは管理サーバ７に返信する。また、これらの制御に伴って、全施錠指示情報に含まれる許諾者ＩＤや全施錠が指示された旨、その結果（全てのキャビネット１が正常に施錠されたか否か）等を含む履歴情報を管理サーバ７に対して送信する。
【００４８】
次いで、本実施例のリモート端末としてのリモコンキー６ａ、６ｂについて説明する。
【００４９】
まず、リモコンキー６ａについて説明すると、リモコンキー６ａは、図８（ａ）に示すように、その表面に許諾されたキャビネット１の施錠操作並びにロックコントローラ４により施錠及び解錠制御が行われる全てのキャビネット１の施錠操作を行う際に操作される施錠操作手段としての施錠ボタン４０と、許諾されたキャビネット１の解錠操作を行う際に操作される解錠操作手段としての解錠ボタン４１と、これら各操作ボタンの操作に基づき指示されたキャビネット１の施錠及び解錠が正常に完了したか否かを点灯により報知するリモコンランプ４２と、が設けられている。
【００５０】
リモコンキー６ａの内部には、図８（ｂ）に示すように、施錠ボタン４０の操作を検出する施錠操作検出スイッチ４５、解錠ボタン４１の操作を検出する解錠操作検出スイッチ４６、アンテナ５を介してロックコントローラ４と非接触にてデータの送受を行うための指示情報発信手段としての送受信モジュール４４、各検出スイッチの操作検出に応じて送受信モジュール４４によりデータを送信する制御や送受信モジュール４４によるロックコントローラ４からのデータの受信に応じてリモコンランプ４２を点灯させる制御等を行う制御ＩＣ４３、が内蔵されている。また、制御ＩＣ４３には、記憶部が内蔵されており、この記憶部には制御ＩＣ４３の制御内容に加えて個々のリモコンキー６ａ、６ｂに対して別個に割り当てられた端末識別情報として前述した許諾者ＩＤが記憶されている。
【００５１】
本実施例のリモコンキー６ａは、解錠ボタン４１が操作され、解錠操作検出スイッチ４６が所定時間検出されることで記憶部に記憶された許諾者ＩＤを含む解錠指示情報、すなわち記憶部に記憶されている許諾者ＩＤにより許諾されたキャビネット１の解錠を指示する旨の情報をロックコントローラ４に対して送信する。これに基づきロックコントローラ４から正常に解錠がなされた旨を示す完了情報の返信を受けた場合には、リモコンランプ４２を点灯させる。
【００５２】
また、図８（ｃ）に示すように、施錠ボタン４０が操作され、施錠操作検出スイッチ４５が検出された状態で第１の規定時間（ｔ１）が経過することで、記憶部に記憶された許諾者ＩＤを含む施錠指示情報、すなわち記憶部に記憶されている許諾者ＩＤにより許諾されたキャビネット１の施錠を指示する旨の情報をロックコントローラ４に対して送信する。これに基づきロックコントローラ４から正常に施錠がなされた旨を示す完了情報の返信を受けた場合には、リモコンランプ４２を点灯させる。また、更に、施錠操作検出スイッチ４５が検出された状態で検出の開始時点から第１の規定時間（ｔ１）よりも長い第２の規定時間（ｔ２）が経過することで、許諾者ＩＤを含む全施錠指示情報、すなわちロックコントローラ４により施錠及び解錠制御される全てのキャビネット１の施錠を指示する旨の情報をロックコントローラ４に対して送信する。これに基づきロックコントローラ４から正常に施錠がなされた旨を示す完了情報の返信を受けた場合には、リモコンランプ４２を点灯させる。
【００５３】
このように本実施例のリモコンキー６ａでは、施錠ボタン４０または解錠ボタン４１を操作するのみで施錠及び解錠が許諾されたキャビネット１の施錠及び解錠を非接触にて行うことができるため、キャビネット１の施錠及び解錠を容易に行うことができる。更に、施錠ボタン４０を第２の規定時間以上操作すること、すなわち施錠ボタン４０を長押しすることで、施錠及び解錠が許諾されたキャビネット１以外のキャビネット１を含む、ロックコントローラ４により施錠及び解錠が制御される全てのキャビネット１の施錠を行うことが可能となり、一層利便性を高めることができる。
【００５４】
また、リモコンキー６ａにおいては、施錠ボタン４０の操作時間に応じて許諾されたキャビネット１の施錠操作、ロックコントローラ４により施錠及び解錠が制御される全てのキャビネット１の施錠操作、の双方の施錠操作を行うことが可能とされており、施錠ボタン４０と別個に、全てのキャビネット１の施錠を行うための施錠ボタンを設ける必要がないうえに、容易な操作要領にて全てのキャビネット１の施錠を行うことができる。
【００５５】
次に、リモコンキー６ｂについて説明すると、リモコンキー６ｂは、図９（ａ）に示すように、その表面に許諾されたキャビネット１の施錠操作を行う際に操作される施錠操作手段としての施錠ボタン５０と、許諾されたキャビネット１の解錠操作を行う際に操作される解錠操作手段としての解錠ボタン５１と、ロックコントローラ４により施錠及び解錠制御が行われる全てのキャビネット１の施錠操作を行う際に操作される全施錠操作手段としての全施錠ボタン５２と、これら各操作ボタンの操作に基づき指示されたキャビネット１の施錠及び解錠が正常に完了したか否かを点灯により報知するリモコンランプ５３と、が設けられている。
【００５６】
また、図９（ｂ）に示すように、全施錠ボタン５２は、リモコンキー６ｂの表面５９よりも窪んだ位置となるように設けられており、その他の操作ボタンよりも操作がしづらい構造に形成されている。
【００５７】
リモコンキー６ｂ内部には、図９（ｂ）に示すように、施錠ボタン５０の操作を検出する施錠操作検出スイッチ５６、解錠ボタン５１の操作を検出する解錠操作検出スイッチ５７、全施錠ボタン５２の操作を検出する全施錠操作検出スイッチ５８、アンテナ５を介してロックコントローラ４と非接触にてデータの送受を行うための指示情報発信手段としての送受信モジュール５５、各検出スイッチの操作検出に応じて送受信モジュール５５によりデータを送信する制御や送受信モジュール５５によるロックコントローラ４からのデータの受信に応じてリモコンランプ５３を点灯させる制御等を行う制御ＩＣ５４、が内蔵されている。また、制御ＩＣ５４には、記憶部が内蔵されており、この記憶部には制御ＩＣ５４の制御内容に加えて個々のリモコンキー６ａ、６ｂに対して別個に割り当てられた端末識別情報として前述した許諾者ＩＤが記憶されている。
【００５８】
本実施例のリモコンキー６ｂは、解錠ボタン５１が操作され、解錠操作検出スイッチ５７が所定時間検出されることで記憶部に記憶された許諾者ＩＤを含む解錠指示情報、すなわち記憶部に記憶されている許諾者ＩＤにより許諾されたキャビネット１の解錠を指示する旨の情報をロックコントローラ４に対して送信する。これに基づきロックコントローラ４から正常に解錠がなされた旨を示す完了情報の返信を受けた場合には、リモコンランプ５３を点灯させる。
【００５９】
また、施錠ボタン５０が操作され、施錠操作検出スイッチ５６が所定時間検出されることで記憶部に記憶された許諾者ＩＤを含む施錠指示情報、すなわち記憶部に記憶されている許諾者ＩＤにより許諾されたキャビネット１の施錠を指示する旨の情報をロックコントローラ４に対して送信する。これに基づきロックコントローラ４から正常に施錠がなされた旨を示す完了情報の返信を受けた場合には、リモコンランプ５３を点灯させる。
【００６０】
また、全施錠ボタン５２が操作され、全施錠操作検出スイッチ５８が所定時間検出されることで、記憶部に記憶された許諾者ＩＤを含む全施錠指示情報、すなわちロックコントローラ４により施錠及び解錠制御される全てのキャビネット１の施錠を指示する旨の情報をロックコントローラ４に対して送信する。これに基づきロックコントローラ４から正常に全施錠がなされた旨を示す完了情報の返信を受けた場合には、リモコンランプ５３を点灯させる。
【００６１】
このように本実施例のリモコンキー６ｂでは、施錠ボタン５０または解錠ボタン５１を操作するのみで施錠及び解錠が許諾されたキャビネット１の施錠及び解錠を非接触にて行うことができるため、キャビネット１の施錠及び解錠を容易に行うことができる。更に、全施錠ボタン５２を操作することで、施錠及び解錠が許諾されたキャビネット１以外のキャビネット１を含む、ロックコントローラ４により施錠及び解錠が制御される全てのキャビネット１の施錠を行うことが可能となり、一層利便性を高めることができる。
【００６２】
また、リモコンキー６ｂにおいては、許諾されたキャビネット１の施錠操作を行う施錠ボタン５０と、許諾されたキャビネット１の解錠操作を行う解錠ボタン５１と、ロックコントローラ４により施錠及び解錠が制御される全てのキャビネット１の施錠操作を行う全施錠ボタン５２と、が各々別個に設けられているため、これら各ボタンの誤操作を防止できる。
【００６３】
特に、通常使用する機会の少ない全施錠ボタン５２が操作しづらい構造とされているため、この全施錠ボタン５２の誤操作を効果的に防止できる。更に、本実施例では、全施錠ボタン５２をリモコンキー６ｂの表面５９よりも窪んだ位置に形成することで全施錠ボタン５２の操作をしづらくしており、このようにすることで簡単な構造にて全施錠ボタン５２の誤操作を効果的に防止できる。
【００６４】
次いで、本実施例の管理サーバ７について説明する。この管理サーバ７は、図１０に示すように、コンピュータ内部にてデータの送受を行うデータバス６１に、ＣＰＵ６２、ＲＡＭ６３、記憶装置６４、入力装置６５、表示装置６６、ＬＡＮに接続されたＰＣ８とデータの送受を行う第１通信部６７、ロックコントローラ４とデータの送受を行う第２通信部６８、が接続された通常のコンピュータ端末である。
【００６５】
また、記憶装置６４には、管理サーバ７が行う施解錠管理アプリケーションを実行するためのプログラムに加えて、許諾者照合テーブルと施解錠履歴テーブルとからなる施解錠管理データベースが記憶されている。
【００６６】
施解錠管理データベースを構成する許諾者照合テーブルには、図１１（ａ）に示すように、キャビネット１の施錠及び解錠が許諾された許諾者を識別可能な許諾者ＩＤ別に、許諾者の氏名と、暗証番号と、許諾されたキャビネット１を特定可能な什器ＩＤと、が登録されている。
【００６７】
また、図１１（ｂ）に示すように、施解錠履歴テーブルには、施錠操作または解錠操作がなされた日時と、操作を行った許諾者の許諾者ＩＤと、操作が指示されたキャビネット１の什器ＩＤと、操作の種別（解錠、施錠、全施錠）と、操作がなされた端末の種別（リモコンキー６ａ、６ｂ；ＲＣ、ＰＣ８；ＰＣ、管理サーバ；ＳＶ）と、操作の結果（正常、エラー）と、が登録されており、この施解錠履歴テーブルに登録された情報は、ロックコントローラ４から履歴情報を受信する毎に逐次更新される。
【００６８】
このように構成された管理サーバ７は、入力装置６５またはＬＡＮを介して接続されたＰＣ８による施錠入力または解錠入力、全施錠入力に応じてロックコントローラ４に対して指示情報を送信し、指示されたキャビネット１の施錠及び解錠制御を実施させるための処理を行う。
【００６９】
具体的には、入力装置６５またはＬＡＮを介して接続されたＰＣ８にて、許諾者ＩＤ並びに暗証番号を含む施錠入力がなされた場合に、入力された許諾者ＩＤを許諾者照合テーブルより抽出し、この抽出した許諾者ＩＤに対応して登録されている暗証番号と入力された暗証番号とを照合し、一致した場合には入力された許諾者ＩＤを含む施錠指示情報、すなわち入力された許諾者ＩＤにより許諾されたキャビネット１の施錠を指示する旨の情報をロックコントローラ４に対して送信する。これに基づきロックコントローラ４から正常に施錠がなされた旨を示す完了情報の返信を受けた場合には、その旨を表示装置６６に表示するか、その旨を示す操作結果情報を、施錠入力がなされたＰＣ８に返信する。
【００７０】
また、入力装置６５またはＬＡＮを介して接続されたＰＣ８にて、許諾者ＩＤ並びに暗証番号を含む解錠入力がなされた場合に、入力された許諾者ＩＤを許諾者照合テーブルより抽出し、この抽出した許諾者ＩＤに対応して登録されている暗証番号と入力された暗証番号とを照合し、一致した場合には入力された許諾者ＩＤを含む解錠指示情報、すなわち入力された許諾者ＩＤにより許諾されたキャビネット１の解錠を指示する旨の情報をロックコントローラ４に対して送信する。これに基づきロックコントローラ４から正常に解錠がなされた旨を示す完了情報の返信を受けた場合には、その旨を表示装置６６に表示するか、その旨を示す操作結果情報を、解錠入力がなされたＰＣ８に返信する。
【００７１】
また、入力装置６５またはＬＡＮを介して接続されたＰＣ８にて、許諾者ＩＤ並びに暗証番号を含む全施錠入力がなされた場合に、入力された許諾者ＩＤを許諾者照合テーブルより抽出し、この抽出した許諾者ＩＤに対応して登録されている暗証番号と入力された暗証番号とを照合し、一致した場合には入力された許諾者ＩＤを含む全施錠指示情報、すなわちロックコントローラ４により施錠及び解錠制御される全てのキャビネット１の施錠を指示する旨の情報をロックコントローラ４に対して送信する。これに基づきロックコントローラ４から正常に全施錠がなされた旨を示す完了情報の返信を受けた場合には、その旨を表示装置６６に表示するか、その旨を示す操作結果情報を、全施錠入力がなされたＰＣ８に返信する。
【００７２】
また、本実施例では、入力装置６５により所定の操作を行うことにより、施解錠履歴テーブルに登録された各キャビネット１の施錠及び解錠の操作履歴や、施解錠履歴テーブルに登録された履歴情報に基づくその時点の各キャビネット１の施解錠状況等の管理情報が表示装置６６に出力可能とされている。
【００７３】
このように本実施例の管理サーバ７では、入力装置６５の入力に基づいて許諾されたキャビネット１の施錠操作、及び解錠操作、ロックコントローラ４により施錠及び解錠制御がなされる全てのキャビネット１の施錠操作が実行可能とされている。
【００７４】
また、管理サーバ７では、ＬＡＮを介して接続されたＰＣ８による入力を受け付けた際に、入力装置６５の入力によりキャビネット１の施錠操作及び解錠操作、全施錠操作が行われた場合と同様の処理を行うようになっており、これらＬＡＮを介して接続されたＰＣ８からも許諾されたキャビネット１の施錠操作、及び解錠操作、ロックコントローラ４により施錠及び解錠制御がなされる全てのキャビネット１の施錠操作が実行可能とされている。
【００７５】
以下、本実施例の施解錠システムを構成する各部の動作状況を図１２〜図１５に基づいて説明する。尚、ここでは一例として、許諾者ＩＤ「Ｐ００１」が割り当てられたリモコンキー６ａにより各種操作を行った場合、許諾者ＩＤ「Ｐ００１」が割り当てられた許諾者が管理サーバ７、ＰＣ８から各種入力を行った場合の動作状況について説明する。
【００７６】
図１２は、リモコンキー６ａから施錠操作または解錠操作がなされた場合の各部の動作状況を示す図である。
【００７７】
リモコンキー６ａにて施錠操作がなされた場合には、リモコンキー６ａからロックコントローラ４に対して、記憶されている許諾者ＩＤを含む施錠指示情報が送信される。
【００７８】
これに基づきロックコントローラ４は、施錠指示情報に含まれる許諾者ＩＤと施解錠テーブルに登録されている許諾者ＩＤとを比較し、一致する許諾者ＩＤに対応して登録されている什器ＩＤを抽出し、抽出した什器ＩＤが割り当てられたキャビネット１の制御ユニット３に対して施錠コマンドを送信する。
【００７９】
施錠コマンドを受信した制御ユニット３は、各種センサの入力状況に応じて電子錠２の施錠制御を実施し、正常に施錠がなされた場合には、その旨を示す完了コマンドをロックコントローラ４に対して返信する。尚、正常に施錠がなされなかった場合には、エラーコマンドをロックコントローラ４に対して返信する。
【００８０】
ロックコントローラ４は、制御ユニット３から完了コマンドを受信した場合に、リモコンキー６ａに対して施錠が正常に完了した旨を示す完了情報を返信し、制御ユニット３からエラーコマンドを受信した場合や所定時間コマンドの返信がない場合に、リモコンキー６ａに対して施錠が正常に完了していない旨を示すエラー情報を返信する。
【００８１】
次いで、施錠指示情報に含まれる許諾者ＩＤ、許諾者ＩＤにより抽出された什器ＩＤ、操作の種別（施錠）、操作がなされた端末の種別（リモコンキー）、操作結果（正常またはエラー）からなる履歴情報を管理サーバ７に送信する。管理サーバ７では、ロックコントローラ４から送信された履歴情報に基づいて施解錠履歴テーブルの更新を行う。
【００８２】
また、リモコンキー６ａにて解錠操作がなされた場合には、リモコンキー６ａからロックコントローラ４に対して、記憶されている許諾者ＩＤを含む解錠指示情報が送信される。
【００８３】
これに基づきロックコントローラ４は、解錠指示情報に含まれる許諾者ＩＤと施解錠テーブルに登録されている許諾者ＩＤとを比較し、一致する許諾者ＩＤに対応して登録されている什器ＩＤを抽出し、抽出した什器ＩＤが割り当てられたキャビネット１の制御ユニット３に対して解錠コマンドを送信する。
【００８４】
解錠コマンドを受信した制御ユニット３は、各種センサの入力状況に応じて電子錠２の解錠制御を実施し、正常に解錠がなされた場合には、その旨を示す完了コマンドをロックコントローラ４に対して返信する。尚、正常に解錠がなされなかった場合には、エラーコマンドをロックコントローラ４に対して返信する。
【００８５】
ロックコントローラ４は、制御ユニット３から完了コマンドを受信した場合に、リモコンキー６ａに対して解錠が正常に完了した旨を示す完了情報を返信し、制御ユニット３からエラーコマンドを受信した場合や所定時間コマンドの返信がない場合に、リモコンキー６ａに対して解錠が正常に完了していない旨を示すエラー情報を返信する。
【００８６】
次いで、解錠指示情報に含まれる許諾者ＩＤ、許諾者ＩＤにより抽出された什器ＩＤ、操作の種別（解錠）、操作がなされた端末の種別（リモコンキー）、操作結果（正常またはエラー）からなる履歴情報を管理サーバ７に送信する。管理サーバ７では、ロックコントローラ４から送信された履歴情報に基づいて施解錠履歴テーブルの更新を行う。
【００８７】
図１３は、管理サーバ７から施錠入力または解錠入力がなされた場合の各部の動作状況を示す図である。
【００８８】
管理サーバ７にて許諾者ＩＤ並びに暗証番号からなる施錠入力がなされた場合には、入力された許諾者ＩＤ並びに暗証番号と許諾者照合テーブルに登録された許諾者ＩＤ並びに暗証番号とを照合し、結果が一致した場合には、管理サーバ７からロックコントローラ４に対して、入力された許諾者ＩＤを含む施錠指示情報が送信される。
【００８９】
これに基づきロックコントローラ４は、施錠指示情報に含まれる許諾者ＩＤと施解錠テーブルに登録されている許諾者ＩＤとを比較し、一致する許諾者ＩＤに対応して登録されている什器ＩＤを抽出し、抽出した什器ＩＤが割り当てられたキャビネット１の制御ユニット３に対して施錠コマンドを送信する。
【００９０】
施錠コマンドを受信した制御ユニット３は、各種センサの入力状況に応じて電子錠２の施錠制御を実施し、正常に施錠がなされた場合には、その旨を示す完了コマンドをロックコントローラ４に対して返信する。尚、正常に施錠がなされなかった場合には、エラーコマンドをロックコントローラ４に対して返信する。
【００９１】
ロックコントローラ４は、制御ユニット３から完了コマンドを受信した場合に、管理サーバ７に対して施錠が正常に完了した旨を示す完了情報を返信し、制御ユニット３からエラーコマンドを受信した場合や所定時間コマンドの返信がない場合に、管理サーバ７に対して施錠が正常に完了していない旨を示すエラー情報を返信する。
【００９２】
次いで、施錠指示情報に含まれる許諾者ＩＤ、許諾者ＩＤにより抽出された什器ＩＤ、操作の種別（施錠）、操作がなされた端末の種別（管理サーバ）、操作結果（正常またはエラー）からなる履歴情報を管理サーバ７に送信する。管理サーバ７では、ロックコントローラ４から送信された履歴情報に基づいて施解錠履歴テーブルの更新を行う。
【００９３】
また、管理サーバ７にて許諾者ＩＤ並びに暗証番号からなる解錠入力がなされた場合には、入力された許諾者ＩＤ並びに暗証番号と許諾者照合テーブルに登録された許諾者ＩＤ並びに暗証番号とを照合し、結果が一致した場合には、管理サーバ７からロックコントローラ４に対して、入力された許諾者ＩＤを含む解錠指示情報が送信される。
【００９４】
これに基づきロックコントローラ４は、解錠指示情報に含まれる許諾者ＩＤと施解錠テーブルに登録されている許諾者ＩＤとを比較し、一致する許諾者ＩＤに対応して登録されている什器ＩＤを抽出し、抽出した什器ＩＤが割り当てられたキャビネット１の制御ユニット３に対して解錠コマンドを送信する。
【００９５】
解錠コマンドを受信した制御ユニット３は、各種センサの入力状況に応じて電子錠２の解錠制御を実施し、正常に解錠がなされた場合には、その旨を示す完了コマンドをロックコントローラ４に対して返信する。尚、正常に解錠がなされなかった場合には、エラーコマンドをロックコントローラ４に対して返信する。
【００９６】
ロックコントローラ４は、制御ユニット３から完了コマンドを受信した場合に、管理サーバ７に対して解錠が正常に完了した旨を示す完了情報を返信し、制御ユニット３からエラーコマンドを受信した場合や所定時間コマンドの返信がない場合に、管理サーバ７に対して解錠が正常に完了していない旨を示すエラー情報を返信する。
【００９７】
次いで、解錠指示情報に含まれる許諾者ＩＤ、許諾者ＩＤにより抽出された什器ＩＤ、操作の種別（解錠）、操作がなされた端末の種別（管理サーバ）、操作結果（正常またはエラー）からなる履歴情報を管理サーバ７に送信する。管理サーバ７では、ロックコントローラ４から送信された履歴情報に基づいて施解錠履歴テーブルの更新を行う。
【００９８】
図１４は、ＬＡＮを介して管理サーバ７に接続されたＰＣ８から施錠入力または解錠入力がなされた場合の各部の動作状況を示す図である。
【００９９】
ＰＣ８にて許諾者ＩＤ並びに暗証番号を含む施錠入力がなされた場合には、施錠入力情報が管理サーバ７に対して送信される。これに基づき管理サーバ７では、ＰＣ８より受信した施錠入力情報に含まれる許諾者ＩＤ並びに暗証番号と許諾者照合テーブルに登録された許諾者ＩＤ並びに暗証番号とを照合し、結果が一致した場合には、管理サーバ７からロックコントローラ４に対して、ＰＣ８より受信した許諾者ＩＤを含む施錠指示情報が送信される。
【０１００】
これに基づきロックコントローラ４は、施錠指示情報に含まれる許諾者ＩＤと施解錠テーブルに登録されている許諾者ＩＤとを比較し、一致する許諾者ＩＤに対応して登録されている什器ＩＤを抽出し、抽出した什器ＩＤが割り当てられたキャビネット１の制御ユニット３に対して施錠コマンドを送信する。
【０１０１】
施錠コマンドを受信した制御ユニット３は、各種センサの入力状況に応じて電子錠２の施錠制御を実施し、正常に施錠がなされた場合には、その旨を示す完了コマンドをロックコントローラ４に対して返信する。尚、正常に施錠がなされなかった場合には、エラーコマンドをロックコントローラ４に対して返信する。
【０１０２】
ロックコントローラ４は、制御ユニット３から完了コマンドを受信した場合に、管理サーバ７に対して施錠が正常に完了した旨を示す完了情報を返信し、制御ユニット３からエラーコマンドを受信した場合や所定時間コマンドの返信がない場合に、管理サーバ７に対して施錠が正常に完了していない旨を示すエラー情報を返信する。
【０１０３】
次いで、施錠指示情報に含まれる許諾者ＩＤ、許諾者ＩＤにより抽出された什器ＩＤ、操作の種別（施錠）、操作がなされた端末の種別（ＰＣ）、操作結果（正常またはエラー）からなる履歴情報を管理サーバ７に送信する。管理サーバ７では、ロックコントローラ４から送信された履歴情報に基づいて施解錠履歴テーブルの更新を行う。
【０１０４】
一方、ロックコントローラ４から完了情報またはエラー情報の受信を受けた管理サーバ７は、これら受信した情報に基づく操作結果情報、すなわち施錠入力に基づくキャビネット１の施錠が正常に完了したか否かを示す情報を、施錠入力情報の送信があったＰＣ８に対して返信する。
【０１０５】
ＰＣ８にて許諾者ＩＤ並びに暗証番号を含む解錠入力がなされた場合には、解錠入力情報が管理サーバ７に対して送信される。これに基づき管理サーバ７では、ＰＣ８より受信した解錠入力情報に含まれる許諾者ＩＤ並びに暗証番号と許諾者照合テーブルに登録された許諾者ＩＤ並びに暗証番号とを照合し、結果が一致した場合には、管理サーバ７からロックコントローラ４に対して、ＰＣ８より受信した許諾者ＩＤを含む解錠指示情報が送信される。
【０１０６】
これに基づきロックコントローラ４は、解錠指示情報に含まれる許諾者ＩＤと施解錠テーブルに登録されている許諾者ＩＤとを比較し、一致する許諾者ＩＤに対応して登録されている什器ＩＤを抽出し、抽出した什器ＩＤが割り当てられたキャビネット１の制御ユニット３に対して解錠コマンドを送信する。
【０１０７】
解錠コマンドを受信した制御ユニット３は、各種センサの入力状況に応じて電子錠２の解錠制御を実施し、正常に解錠がなされた場合には、その旨を示す完了コマンドをロックコントローラ４に対して返信する。尚、正常に解錠がなされなかった場合には、エラーコマンドをロックコントローラ４に対して返信する。
【０１０８】
ロックコントローラ４は、制御ユニット３から完了コマンドを受信した場合に、管理サーバ７に対して解錠が正常に完了した旨を示す完了情報を返信し、制御ユニット３からエラーコマンドを受信した場合や所定時間コマンドの返信がない場合に、管理サーバ７に対して解錠が正常に完了していない旨を示すエラー情報を返信する。
【０１０９】
次いで、解錠指示情報に含まれる許諾者ＩＤ、許諾者ＩＤにより抽出された什器ＩＤ、操作の種別（解錠）、操作がなされた端末の種別（ＰＣ）、操作結果（正常またはエラー）からなる履歴情報を管理サーバ７に送信する。管理サーバ７では、ロックコントローラ４から送信された履歴情報に基づいて施解錠履歴テーブルの更新を行う。
【０１１０】
一方、ロックコントローラ４から完了情報またはエラー情報の受信を受けた管理サーバ７は、これら受信した情報に基づく操作結果情報、すなわち解錠入力に基づくキャビネット１の施錠が正常に完了したか否かを示す情報を、解錠入力情報の送信があったＰＣ８に対して返信する。
【０１１１】
図１５は、リモコンキー６ａから全施錠操作がなされた場合の各部の動作状況を示す図である。
【０１１２】
リモコンキー６ａにて全施錠操作がなされた場合には、リモコンキー６ａからロックコントローラ４に対して、記憶されている許諾者ＩＤを含む全施錠指示情報が送信される。
【０１１３】
これに基づきロックコントローラ４は、全施錠指示情報に含まれる許諾者ＩＤと施解錠テーブルに登録されている許諾者ＩＤとを比較し、一致する許諾者ＩＤ登録されている場合には、施解錠テーブルに登録されている全てのキャビネット１の制御ユニット３に対して施錠コマンドを送信する。
【０１１４】
施錠コマンドを受信した各制御ユニット３は、各種センサの入力状況に応じて電子錠２の施錠制御を実施し、正常に施錠がなされた場合には、その旨を示す完了コマンドをロックコントローラ４に対して返信する。尚、正常に施錠がなされなかった場合には、エラーコマンドをロックコントローラ４に対して返信する。
【０１１５】
ロックコントローラ４は、登録されている全ての制御ユニット３から完了コマンドを受信した場合に、リモコンキー６ａに対して全施錠が正常に完了した旨を示す完了情報を返信し、いずれか１つの制御ユニット３からエラーコマンドを受信した場合や所定時間経過してもコマンドの返信がない場合に、リモコンキー６ａに対して全施錠が正常に完了していない旨を示すエラー情報を返信する。
【０１１６】
次いで、全施錠指示情報に含まれる許諾者ＩＤ、許諾者ＩＤにより抽出された什器ＩＤ、操作の種別（全施錠）、操作がなされた端末の種別（リモコンキー）、操作結果（正常またはエラー）からなる履歴情報を管理サーバ７に送信する。管理サーバ７では、ロックコントローラ４から送信された履歴情報に基づいて施解錠履歴テーブルの更新を行う。
【０１１７】
尚、本実施例では、管理サーバ７やＰＣ８から全施錠操作を行うことが可能であるが、ここでの説明は省略する。
【０１１８】
以上説明したように、本実施例の施解錠システムにおいては、リモコンキー６ａ、６ｂにより施錠操作及び解錠操作を行うのみで施錠及び解錠が許諾されたキャビネット１の施錠及び解錠を非接触にて行うことができるため、キャビネット１の施錠及び解錠を容易に行うことができる。更に、全施錠操作を行うことで、施錠及び解錠が許諾されたキャビネット１以外のキャビネット１を含む登録された全てのキャビネット１の施錠を行うことが可能なため、例えば、退社時等、キャビネット１を一斉に施錠する必要がある場合等においては、これら登録されたキャビネット１の施錠を一括して行うことができるようになり、一層利便性を高めることができる。
【０１１９】
以上、本発明の実施例を図面に基づき説明してきたが、本発明はこれら実施例に限定されるものではなく、本発明の主旨を逸脱しない範囲における変更や追加があっても本発明に含まれることは言うまでもない。
【０１２０】
例えば、本実施例の施解錠システムでは、リモコンキー６ａ、６ｂや管理サーバ７、ＰＣ８による操作に応じて許諾されたキャビネット１の施錠及び解錠が行われる構成とされているが、少なくともリモコンキー６ａ、６ｂ等のリモート端末のみによってキャビネット１の施錠及び解錠が行われる構成であれば良い。
【０１２１】
また、本実施例の施解錠システムでは、ロックコントローラ４とリモコンキー６ａ、６ｂ、管理サーバ７と双方向にデータの送受が可能とされているが、少なくともロックコントローラ４が、リモコンキー６ａ、６ｂ等の外部端末からの指示情報を受信できる構成とされていれば良い。
【０１２２】
【発明の効果】
本発明は次の効果を奏する。
【０１２３】
（ａ）請求項１の発明によれば、リモート端末から施解錠が許諾された什器の施錠及び解錠を非接触にて行うことができるため、什器の施解錠を容易に行うことができる。更に、リモート端末から、当該リモート端末により施解錠が許諾された什器以外の什器を含む登録されている全ての什器の施錠を行うことができるため、一層利便性を高めることができる。
【０１２４】
（ｂ）請求項２の発明によれば、施錠操作及び解錠操作を行うための操作要領にて操作手段の操作を行うのみで施解錠が許諾された什器の施錠及び解錠を非接触にて行うことができるため、什器の施解錠を容易に行うことができる。更に、施錠操作及び解錠操作の操作要領とは異なる全施錠を行うための操作要領にて操作手段の操作を行うことで、施解錠が許諾された什器以外の什器を含む登録された全ての什器の施錠を行うことが可能となり、一層利便性を高めることができる。
【０１２５】
（ｃ）請求項３の発明によれば、通常の施錠操作手段と別個に、登録されている全ての什器の施錠を行うための施錠操作手段を設ける必要がないうえに、容易な操作要領にて登録されている全ての什器の施錠を行うことができる。
【０１２６】
（ｄ）請求項４の発明によれば、各々の操作手段が別個に設けられているため、誤操作を防止することができる。
【０１２７】
（ｅ）請求項５の発明によれば、通常操作する機会の少ない、全施錠操作手段の操作をしづらくすることで、誤操作を効果的に防止できる。
【０１２８】
（ｆ）請求項６の発明によれば、簡単な構造にて全施錠操作手段の誤操作を防止できる。
【図面の簡単な説明】
【図１】本発明の実施例における施解錠システムの構成を示す図である。
【図２】本実施例の施解錠システムに適用したキャビネットの斜視図である。
【図３】図２に示すキャビネットの一部破断斜視図である。
【図４】図２に示すキャビネットを複数並設した状態の機器収容空間の連結状況を示す断面図である。
【図５】図２のキャビネットに収容される制御ユニットの構成を示すブロック図である。
【図６】本実施例の施解錠システムに適用したロックコントローラの構成を示すブロック図である。
【図７】図６に示すロックコントローラの記憶部に記憶された施解錠テーブルを示す図である。
【図８】（ａ）は、本実施例の施解錠システムに適用したリモコンキーの正面図であり、（ｂ）は、（ａ）に示すリモコンキーの構成を示すブロック図であり、（ｃ）は、（ａ）に示すリモコンキーの施錠操作検出スイッチの検出に基づく指示情報の送信タイミングを示すタイミングチャートである。
【図９】（ａ）は、本実施例の施解錠システムに適用したリモコンキーの正面図であり、（ｂ）は、（ａ）に示すリモコンキーの全施錠ボタンの構造を示す断面図であり、（ｃ）は、（ａ）に示すリモコンキーの構成を示すブロック図である。
【図１０】本実施例の施解錠システムに適用した管理サーバの構成を示すブロック図である。
【図１１】図１０に示す管理サーバの記憶装置に記憶された施解錠管理データベースの登録内容を示す図である。
【図１２】本実施例の施解錠システムを構成する各部の動作状況を示す図である。
【図１３】本実施例の施解錠システムを構成する各部の動作状況を示す図である。
【図１４】本実施例の施解錠システムを構成する各部の動作状況を示す図である。
【図１５】本実施例の施解錠システムを構成する各部の動作状況を示す図である。
【符号の説明】
１　　　　　　　　キャビネット（什器）
２　　　　　　　　電子錠（施解錠手段）
３　　　　　　　　制御ユニット（子施解錠制御装置）
４　　　　　　　　ロックコントローラ（親施解錠制御装置）
５　　　　　　　　アンテナ（非接触受信手段）
６ａ、６ｂ　　　　リモコンキー（リモート端末）
７　　　　　　　　管理サーバ
８　　　　　　　　ＰＣ
９　　　　　　　　通信ケーブル
１０　　　　　　　通信ケーブル
１１ａ、１１ｂ　　開閉扉（規制部材）
１２ａ、１２ｂ　　ハンドル
１３　　　　　　　鍵穴
１４　　　　　　　什器ランプ
１５　　　　　　　連通孔
１６　　　　　　　カバー板
１７　　　　　　　底面板
１８　　　　　　　係止ピン
１９　　　　　　　係止孔
２０　　　　　　　通信ケーブル
２１　　　　　　　開閉扉（規制部材）
２２　　　　　　　コネクタ
２３　　　　　　　モータ駆動回路
２４　　　　　　　センサ回路
２５　　　　　　　施解錠モータ
２６　　　　　　　閉鎖検出センサ
２７　　　　　　　施錠検出センサ
２８　　　　　　　解錠検出センサ
３０　　　　　　　制御部（許諾端末比較手段）
３１　　　　　　　第１通信部（制御情報送信手段）
３２　　　　　　　コネクタ
３３　　　　　　　第２通信部
３４　　　　　　　コネクタ
３５　　　　　　　記憶部
３６　　　　　　　無線送受信回路
４０　　　　　　　施錠ボタン（操作手段、施錠操作手段）
４１　　　　　　　解錠ボタン（操作手段、解錠操作手段）
４２　　　　　　　リモコンランプ
４３　　　　　　　制御ＩＣ
４４　　　　　　　送受信モジュール（指示情報発信手段）
４５　　　　　　　施錠操作検出スイッチ
４６　　　　　　　解錠操作検出スイッチ
５０　　　　　　　施錠ボタン（操作手段、施錠操作手段）
５１　　　　　　　解錠ボタン（操作手段、解錠操作手段）
５２　　　　　　　全施錠ボタン（操作手段、全施錠操作手段）
５３　　　　　　　リモコンランプ
５４　　　　　　　制御ＩＣ
５５　　　　　　　送受信モジュール（指示情報発信手段）
５６　　　　　　　施錠操作検出スイッチ
５７　　　　　　　解錠操作検出スイッチ
５８　　　　　　　全施錠操作検出スイッチ
５９　　　　　　　表面
６１　　　　　　　データバス
６２　　　　　　　ＣＰＵ
６３　　　　　　　ＲＡＭ
６４　　　　　　　記憶装置
６５　　　　　　　入力装置
６６　　　　　　　表示装置
６７　　　　　　　第１通信部
６８　　　　　　　第２通信部
Ｓ１、Ｓ２　　　　収容部
Ｓ３　　　　　　　機器収容空間
【図１】
2004107884.tif 000003
【図２】
2004107884.tif 000004
【図３】
2004107884.tif 000005
【図４】
2004107884.tif 000006
【図５】
2004107884.tif 000007
【図６】
2004107884.tif 000008
【図７】
2004107884.tif 000009
【図８】
2004107884.tif 000010
【図９】
2004107884.tif 000011
【図１０】
2004107884.tif 000012
【図１１】
2004107884.tif 000013
【図１２】
2004107884.tif 000014
【図１３】
2004107884.tif 000015
【図１４】
2004107884.tif 000016
【図１５】
2004107884.tif 000017